(57)【要約】【課題】樹脂ペレットの製造装置内に発生する水蒸気中の異物を簡単、かつ確実に除去でき、しかも、前記異物の除去に係るコストを低減させることができる異物除去装置およびこれを備えたペレット製造装置を提供することを目的とする。【解決手段】樹脂ペレットの製造装置２内に発生する水蒸気と該水蒸気に含まれる異物とを通過させ、これら水蒸気と該水蒸気に含まれる異物とのうち、前記異物だけを除去するものであり、  所定量の除去用水３ａが貯留された筐体３と、この筐体３の側壁３ｂに挿通されて、前記除去用水３ａ中に挿入される除去用パイプ４と、前記筐体３の側壁３ｃに挿通され、筐体３内の水蒸気を脱気する脱気部５と、前記筐体３に、前記除去用水３ａの水面を覆うようにして設けられた防沫板部６とを備え、前記除去用パイプ４のパイプ本体部４ｃに、複数の排気孔４ｄ、４ｄ…が設けられている。【選択図】図１
2006150649.tif 000002
【特許請求の範囲】
【請求項１】
樹脂ペレットの製造装置内に発生する水蒸気と該水蒸気に含まれる異物とを通過させ、これら水蒸気と該水蒸気に含まれる異物とのうち、前記異物だけを除去する異物除去装置において、
内部に所定量の除去用水が貯留された筐体と、この筐体の側壁に挿通されて、前記除去用水中に挿入される除去用パイプと、前記筐体の側壁に挿通され、筐体内の水蒸気を脱気する脱気部と、前記筐体に、前記除去用水の水面を覆うようにして設けられた防沫板部とを備え、
前記除去用パイプは、前記側壁に挿通された挿通部と、この挿通部から延出して前記防沫板部を貫通する延出部と、この延出部から延出し、かつ、前記除去用水に浸漬するパイプ本体部とから構成されており、
前記パイプ本体部には複数の排気孔が設けられていることを特徴とする異物除去装置。
【請求項２】
請求項１に記載の異物除去装置において、
前記除去用水を排出するための排水口が、前記筐体の下部に設けられていることを特徴とする異物除去装置。
【請求項３】
請求項１または２に記載の異物除去装置において、
前記筐体の上部には、この筐体を密閉する蓋体が被せられていることを特徴とする異物除去装置。
【請求項４】
請求項１に記載の異物除去装置において、
前記脱気部は、前記筐体の側壁に挿通された脱気用パイプと、この脱気用パイプに接続された二次吸気装置を備えていることを特徴とする異物除去装置。
【請求項５】
請求項１〜４のいずれか一項に記載の異物除去装置を備えたペレット製造装置であって、
前記樹脂ペレットの製造装置に、この製造装置内に発生する水蒸気と該水蒸気に含まれる異物とを吸引する一次吸気装置が設けられており、
この一次吸気装置には、吸気用ホースを介して前記除去用パイプの挿通部が接続されていることを特徴とするペレット製造装置。
【発明の詳細な説明】
【技術分野】
【０００１】
本発明は、樹脂ペレットの製造装置内に発生する水蒸気と該水蒸気に含まれる異物とを通過させ、これら水蒸気と該水蒸気に含まれる異物とのうち、前記異物だけを除去する異物除去装置およびこれを備えたペレット製造装置に関する。
【背景技術】
【０００２】
住宅の内装部品として、最近では、回り縁や幅木、階段手摺、階段踏板、サッシ枠、家具、テーブル、カウンター等に木質様成形品が用いられている。
この木質様成形品は、天然の木材や、おが屑等を粉砕して得たセルロース系微粉粒に、樹脂を混練・溶融して樹脂ペレットを製造し、この樹脂ペレットを成形装置で所定形状に成形することにより形成される。
【０００３】
このような樹脂ペレットの製造技術として、セルロース系微粉粒と樹脂とを混練溶融して混合材料とする混練工程と、この混合材料を多孔円形ノズルからひも状に押し出す押出工程と、押し出された混合材料をペレット状に切断する切断工程とを経て行われる技術が知られている（例えば、特許文献１参照）。
【特許文献１】特開平０７−０８０９０７号公報
【発明の開示】
【発明が解決しようとする課題】
【０００４】
ところで、上述のような混練工程において、前記セルロース系微粉粒と樹脂とを混練した際に高温の熱が発生し、これに伴って水蒸気が発生する場合がある。
この時、前記樹脂ペレットに余分な水分が含まれると、製造される樹脂ペレットの成形性が低下してしまうため、樹脂ペレットの製造装置に吸気装置を設けて水蒸気を吸引し、この水蒸気を熱交換器で冷却して、液体として環境中に排出するようにしている。
【０００５】
ところが、前記水蒸気中には、前記樹脂に対して含まれる油分およびこの油分を保持するセルロース系微粉粒（木粉）等の異物が含まれる場合がある。そして、前記水蒸気を環境中に排出するためには、前記異物を除去する必要がある。
【０００６】
そこで、前記異物を含む水蒸気を、その内部にステンレス網を設けたレシーバータンクに通すことで、前記異物を除去する技術や、前記水蒸気を熱交換器により冷却してから、吸着マットを備えた分離槽に通すことで、前記異物を吸着させて取り除き、水分のみを排水する技術が試みられている。さらに、これらの装置を連続するラインとして設けて二重に除去作業を行うことも試みられている。
【０００７】
しかしながら、前記水蒸気は環境中に排出されるものであることから、さらに厳密に前記異物を除去できる技術の開発が強く望まれていた。
また、前記レシーバータンクや吸着マット等による異物の除去作業は、大掛かりな装置の導入やそのメンテナンスに係るコストが大きいため、除去作業に係る全体的なコストを低減させたいという要望もあった。
【０００８】
本発明の課題は、樹脂ペレットの製造装置内に発生する水蒸気中の異物を簡単、かつ確実に除去でき、しかも、前記異物の除去に係るコストを低減させることができる異物除去装置およびこれを備えたペレット製造装置を提供することを目的とする。
【課題を解決するための手段】
【０００９】
請求項１に記載の発明は、例えば図１に示すように、樹脂ペレットの製造装置２内に発生する水蒸気と該水蒸気に含まれる異物とを通過させ、これら水蒸気と該水蒸気に含まれる異物とのうち、前記異物だけを除去する異物除去装置１において、
内部に所定量の除去用水３ａが貯留された筐体３と、この筐体３の側壁３ｂに挿通されて、前記除去用水３ａ中に挿入される除去用パイプ４と、前記筐体３の側壁３ｃに挿通され、筐体３内の水蒸気を脱気する脱気部５と、前記筐体３に、前記除去用水３ａの水面を覆うようにして設けられた防沫板部６とを備え、
前記除去用パイプ４は、前記側壁３ｂに挿通された挿通部４ａと、この挿通部４ａから延出して前記防沫板部６を貫通する延出部４ｂと、この延出部４ｂから延出し、かつ、前記除去用水３ａに浸漬するパイプ本体部４ｃとから構成されており、
前記パイプ本体部４ｃには複数の排気孔４ｄ、４ｄ…が設けられていることを特徴とする。
【００１０】
ここで、前記樹脂ペレットは、天然の木材や、おが屑等を粉砕して得たセルロース系微粉粒に、樹脂を混練・溶融して混合材料とし、この混合材料を多孔円形ノズルからひも状に押し出すとともに、この混合材料をペレット状に切断して形成される。
また、このような樹脂ペレットに顔料等を併せて混合し、所定の成形技術によって成形することで、天然の木目に極めて近い木目模様が形成された木質様成形品を製造することができる。
【００１１】
請求項１に記載の発明によれば、内部に所定量の除去用水３ａが貯留された筐体３と、この筐体３の側壁３ｂに挿通されて、前記除去用水３ａ中に挿入される除去用パイプ４と、前記筐体３の側壁３ｃに挿通され、筐体３内の水蒸気を脱気する脱気部５と、前記筐体３に、前記除去用水３ａの水面を覆うようにして設けられた防沫板部６とを備え、
前記除去用パイプ４は、前記側壁３ｂに挿通された挿通部４ａと、この挿通部４ａから延出して前記防沫板部６を貫通する延出部４ｂと、この延出部４ｂから延出し、かつ、前記除去用水３ａに浸漬するパイプ本体部４ｃとから構成されており、
前記パイプ本体部４ｃには複数の排気孔４ｄ、４ｄ…が設けられていることから、樹脂ペレットの製造装置２内に発生する水蒸気中の異物を簡単、かつ確実に除去でき、しかも、前記異物の除去に係るコストを低減させることができる。
【００１２】
すなわち、前記筐体３に貯留された除去用水３ａ中に前記除去用パイプ４のパイプ本体部４ｃを浸漬させ、この除去用パイプ４に前記樹脂ペレットの製造装置２内に発生した水蒸気と該水蒸気に含まれる異物とを通過させる。これにより、前記除去用パイプ４のパイプ本体部４ｃに設けられた複数の排気孔４ｄ、４ｄ…から前記水蒸気と該水蒸気に含まれる異物とが徐々に排出されるようになっている。
この時、前記水蒸気は前記樹脂ペレットの製造装置２から高温の状態でパイプ本体部４ｃにまで達するため、このパイプ本体部４ｃの複数の排気孔４ｄ、４ｄ…から除去用水３ａ中に排出された際に冷却されつつも、ある程度の温度を保った状態となる。このような場合、前記除去用水３ａの中で、温度の低い方は下に、温度の高い方は上に分かれて位置するようになるので、ある程度の温度を保った前記水蒸気は除去用水３ａ中の上方に位置するようになる。
そして、前記除去用水３ａの上方に位置する前記水蒸気は湯気のように立ちのぼり、前記除去用水３ａの水面よりも上の筐体３内に充満する。この筐体３内に充満した水蒸気は、前記脱気部５より脱気して前記筐体３内から排出されるようになっている。
また、前記水蒸気に含まれる異物は、前記パイプ本体の複数の排気孔４ｄ、４ｄ…から排出されることによって前記除去用水３ａに混入して留まるようになっており、この時点で、前記異物は前記水蒸気と分離されて除去された状態となる。
さらに、前記水蒸気に含まれる異物は、前記複数の排気孔４ｄ、４ｄ…から排出される際に、気泡に包まれた状態で水面に浮かび上がってくる場合がある。このような場合には、前記筐体３に、前記除去用水３ａの水面を覆うようにして設けられた防沫板部６によって、水面に浮かび上がってきた気泡が破裂した際に、前記異物の飛散を防ぐことができるので、前記筐体３内に充満する水蒸気と再び混ざり合うことがない。
以上のように、樹脂ペレットの製造装置２内に発生する水蒸気を、前記除去用パイプ４から、前記除去用水３ａを介して前記脱気部５へと通過させるだけで、前記水蒸気を筐体３内から排出して、前記水蒸気に含まれる異物だけを簡単、かつ確実に除去することができる。
しかも、前記水蒸気を前記除去用パイプ４から、前記除去用水３ａを介して前記脱気部５へと通過させるだけで、前記水蒸気に含まれる異物だけを簡単、かつ確実に除去することができるので、従来とは異なり、大掛かりな装置の導入やそのメンテナンスを行う必要がなく、コストの低減を図ることが可能となる。
【００１３】
請求項２に記載の発明は、例えば図１に示すように、請求項１に記載の異物除去装置１において、
前記除去用水３ａを排出するための排水口３ｄが、前記筐体３の下部に設けられていることを特徴とする。
【００１４】
請求項２に記載の発明によれば、前記除去用水３ａを排出するための排水口３ｄが、前記筐体３の下部に設けられていることから、前記筐体３に貯留されている除去用水３ａの入れ替え作業を容易に行うことが可能となり、前記除去用水３ａの排出に伴って、この除去用水３ａに混入した前記異物を、前記筐体３内から簡単に排出することができる。
【００１５】
請求項３に記載の発明は、例えば図１に示すように、請求項１または２に記載の異物除去装置１において、
前記筐体３の上部には、この筐体３を密閉する蓋体３ｅが被せられていることを特徴とする。
【００１６】
請求項３に記載の発明によれば、前記筐体３の上部には、この筐体３を密閉する蓋体３ｅが被せられていることから、前記筐体３内に充満する水蒸気が外部に放出されることがないので、前記脱気部５から効率良く脱気することが可能となる。また、前記異物が混入した除去用水３ａを排出した際に、前記蓋体３ｅを開けて筐体３内に注水するだけで、前記除去用水３ａの入れ替え作業を容易に行うことができる。
【００１７】
請求項４に記載の発明は、例えば図１に示すように、請求項１に記載の異物除去装置１において、
前記脱気部５は、前記筐体３の側壁３ｃに挿通された脱気用パイプ５ａと、この脱気用パイプ５ａに接続された二次吸気装置５ｂを備えていることを特徴とする。
【００１８】
請求項４に記載の発明によれば、前記脱気部５は、前記筐体３の側壁３ｃに挿通された脱気用パイプ５ａと、この脱気用パイプ５ａに接続された二次吸気装置５ｂを備えていることから、この二次吸気装置５ｂによって前記筐体３内の除去用水３ａの水面上に充満する水蒸気を吸引することができるので、前記異物だけを除去用水３ａ中に混入させたまま留めておくことが可能となる。したがって、前記水蒸気と異物とを分離させて、このうち異物だけを簡単に、かつ確実に除去できる。
【００１９】
請求項５に記載の発明は、例えば図１に示すように、請求項１〜４のいずれか一項に記載の異物除去装置１を備えたペレット製造装置２であって、
前記樹脂ペレットの製造装置２に、この製造装置２内に発生する水蒸気と該水蒸気に含まれる異物とを吸引する一次吸気装置２ａが設けられており、
この一次吸気装置２ａには、吸気用ホース２ｂを介して前記除去用パイプ４の挿通部４ａが接続されていることを特徴とする。
【００２０】
請求項５に記載の発明によれば、前記樹脂ペレットの製造装置２に、この製造装置２内に発生する水蒸気と該水蒸気に含まれる異物とを吸引する一次吸気装置２ａが設けられており、
この一次吸気装置２ａには、吸気用ホース２ｂを介して前記除去用パイプ４の挿通部４ａが接続されていることから、前記樹脂ペレットの製造装置２内の余分な水分を取り除くことができ、これによって、前記樹脂ペレットの製造装置２で製造される樹脂ペレットの成形性を向上させることが可能となる。
【発明の効果】
【００２１】
本発明によれば、樹脂ペレットの製造装置内に発生する水蒸気を、筐体の側壁に挿通する除去用パイプから、筐体内の除去用水を介して、筐体の側壁に挿通する脱気部へと通過させるだけで、前記水蒸気だけを筐体内から排出して、前記水蒸気に含まれる異物だけを前記除去用水に混入させて留めておくことができるので、水蒸気に含まれる異物を簡単に、かつ確実に除去することができる。
しかも、前記水蒸気を前記除去用パイプから、前記除去用水を介して前記脱気部へと通過させるだけで、前記水蒸気に含まれる異物だけを簡単、かつ確実に除去することができるので、従来とは異なり、大掛かりな装置の導入やそのメンテナンスを行う必要がなく、コストの低減を図ることが可能となる。
また、前記樹脂ペレットの製造装置に、この製造装置内に発生する水蒸気と該水蒸気に含まれる異物とを吸引する一次吸気装置が設けられており、この一次吸気装置には、吸気用ホースを介して前記除去用パイプの挿通部が接続されていることから、前記樹脂ペレットの製造装置内の余分な水分を取り除くことができ、これによって、前記樹脂ペレットの製造装置で製造される樹脂ペレットの成形性を向上させることが可能となる。
【発明を実施するための最良の形態】
【００２２】
以下、図面を参照して本発明に係る異物除去装置１およびこれを備えたペレット製造装置２の実施の形態について説明する。
なお、本実施の形態の異物除去装置１およびこれを備えたペレット製造装置２は、木材から得られるセルロース系微粉粒と樹脂とを含む木質様成形品の製造装置の一部として設けられている。
【００２３】
本実施の形態の異物除去装置１は、図１に示すように、樹脂ペレットの製造装置２内に発生する水蒸気と該水蒸気に含まれる異物とを通過させ、これら水蒸気と該水蒸気に含まれる異物とのうち、前記異物だけを除去するものであり、
内部に所定量の除去用水３ａが貯留された筐体３と、この筐体３の側壁３ｂに挿通されて、前記除去用水３ａ中に挿入される除去用パイプ４と、前記筐体３の側壁３ｃに挿通され、筐体３内の水蒸気を脱気する脱気部５と、前記筐体３に、前記除去用水３ａの水面を覆うようにして設けられた防沫板部６とを備え、
前記除去用パイプ４は、前記側壁３ｂに挿通された挿通部４ａと、この挿通部４ａから延出して前記防沫板部６を貫通する延出部４ｂと、この延出部４ｂから延出し、かつ、前記除去用水３ａに浸漬するパイプ本体部４ｃとから構成されており、
前記パイプ本体部４ｃには複数の排気孔４ｄ、４ｄ…が設けられている。
【００２４】
ここで、本実施の形態の樹脂ペレットとは、天然の木材や、おが屑等を粉砕して得たセルロース系微粉粒に、樹脂を混練・溶融して混合材料とし、この混合材料を多孔円形ノズルからひも状に押し出すとともに、この混合材料をペレット状に切断して形成されるものである。また、このような樹脂ペレットに顔料等を併せて混合し、所定の成形技術によって成形することで、天然の木目に極めて近い木目模様が形成された木質様成形品を製造することができる。
【００２５】
また、前記セルロース系微粉粒とは、例えば、天然木や廃材等の木材の粗粉砕物、バカスの祖粉砕物、稲藁の粗粉砕物等における各種植物細胞体の原料材粗粉砕物を出発原料とし、これを磨砕処理することによって得ることができる。
【００２６】
磨砕処理とは、粉砕処理と研磨処理とを併せ持つ処理を言うものであり、これら粉砕処理と研磨処理とを同時に行う処理であっても、粉砕処理を行った後、研磨処理を行う二工程からなる処理であってもよい。すなわち、ここで言う磨砕処理とは、粗粉砕物から微粉砕物にする粉砕処理と、微粉砕された粉粒を、繊維状態のものが絡み合い、その表面が繊毛で覆われている状態の粉粒形状から、表面に繊毛が少ない状態となるように表面研磨する研磨処理とを併せた処理を指す。
【００２７】
前記セルロース系微粉粒は、上記のように磨砕処理により粒径状に形成されることで、通常の木粉のような繊毛上の突出部分が少なくなり、水（湿気を含む）や溶剤などを吸着しにくくなっている。
【００２８】
さらに、前記樹脂とは、硬質樹脂や軟質樹脂のことであり、塩化ビニル樹脂、発泡塩化ビニル樹脂、ポリエチレン樹脂、ポリプロピレン樹脂、フェノール樹脂、ウレタン樹脂、ポリウレタン樹脂、ＡＢＳ樹脂、ポリスチレン樹脂等が用いられる。また、樹脂は廃材の樹脂から得るようにしてもよい。
【００２９】
前記筐体３は、内部に所定量の除去用水３ａが貯留されており、本実施の形態では、ステンレス等の防錆性を有する金属によって直方体状に形成されている。
ここで、前記除去用水３ａの所定量とは、前記除去用パイプ４のパイプ本体部４ｃを浸漬でき、かつ、前記防沫板部６に接触することがないように貯留された量を示す。
また、この直方体状に形成された筐体３の上部は、この筐体３を密閉する蓋体３ｅが被せられている。
さらに、前記筐体３に貯留された除去用水３ａを排出するための排水口３ｄが、前記筐体３の下部に設けられている。
【００３０】
前記除去用パイプ４は、上述したように、前記筐体３の側壁３ｂに挿通された挿通部４ａと、この挿通部４ａから延出して前記防沫板部６を貫通する延出部４ｂと、この延出部４ｂから延出し、かつ、前記除去用水３ａに浸漬するパイプ本体部４ｃとから構成されており、前記パイプ本体部４ｃには複数の排気孔４ｄ、４ｄ…が設けられている。
【００３１】
前記脱気部５は、前記筐体３の側壁３ｃに挿通された脱気用パイプ５ａと、この脱気用パイプ５ａに接続された二次吸気装置５ｂを備えている。
【００３２】
また、前記二次吸気装置５ｂは、本実施の形態では真空ポンプが用いられており、この真空ポンプとは、真空装置内の気体に圧力や速度などを付与しながらより高い圧力の外部へ輸送して排出するものであり、前記筐体３内に充満する水蒸気を除去できる。
なお、この二次吸気装置５ｂに後続して、前記水蒸気を冷却する熱交換器（図示せず）が設けられており、この熱交換器によって冷却された水蒸気は液体となって排出される。
【００３３】
前記防沫板部６は、前記筐体３に、前記除去用水３ａの水面を覆うようにして設けられており、本実施の形態ではパンチングメタルが用いられている。
なお、このパンチングメタルとは、一般的に、金属板をプレス加工して、丸穴、角穴などを開けたものであり、光や空気、視線の透過性を備えたものである。特に本実施の形態では、前記除去用水３ａ中から気泡に包まれて浮かび上がってくる異物の飛散を防止するために設けられ、透過させる対象としては、前記除去用パイプ４から排出され、前記異物を含まない水蒸気である。
【００３４】
以上のような構成の異物除去装置１を備えたペレット製造装置２は、天然の木材や、おが屑等を粉砕して得たセルロース系微粉粒に、樹脂を混練・溶融して混合材料とし、この混合材料を多孔円形ノズルからひも状に押し出すとともに、この混合材料をペレット状に切断して形成する装置２である。
また、このペレット製造装置２には、この製造装置２内に発生する水蒸気と該水蒸気に含まれる異物とを吸引する一次吸気装置２ａが設けられており、この一次吸気装置２ａには、吸気用ホース２ｂを介して前記除去用パイプ４の挿通部４ａが接続されている。
【００３５】
前記一次吸気装置２ａは、本実施の形態では、前記二次吸気装置５ｂと同じく真空ポンプが用いられており、この真空ポンプとは、真空装置内の気体に圧力や速度などを付与しながらより高い圧力の外部へ輸送して排出するものであり、前記製造装置２内に発生する水蒸気および該水蒸気に含まれる異物を除去できる。
このような一次吸気装置２ａによれば、前記樹脂ペレットの製造装置２内の余分な水分を取り除くことができ、これによって、前記樹脂ペレットの製造装置２で製造される樹脂ペレットの成形性を向上させることが可能となる。
【００３６】
以上のような構成の異物除去装置１およびペレット製造装置２によって、該ペレット製造装置２で発生した水蒸気中に含まれる異物を除去するには、まず、前記ペレット製造装置２によって、前記セルロース系微粉粒と樹脂とを混練・溶融して、樹脂ペレットを製造していく。
ここで、このようにセルロース系微粉粒と樹脂とを混練した際、これらセルロース系微粉粒と樹脂に高温の熱が発生し、これに伴って水蒸気が発生する。また、この水蒸気には異物が含まれている。
この時、前記樹脂ペレットに余分な水分が含まれると、製造される樹脂ペレットの成形性が低下してしまうため、前記ペレット製造装置２に一次吸気装置２ａを設けて前記水蒸気を吸引する。
【００３７】
前記吸引された水蒸気は、前記一次吸気装置２ａに接続された吸気用ホース２ｂを通過して、前記異物除去装置１の除去用パイプ４に達するようになっている。
前記除去用パイプ４に達した水蒸気は、まず、筐体３内に挿通している挿通部４ａから延出部４ｂを通過し、防沫板部６の位置を通過してパイプ本体部４ｃに至る。
前記パイプ本体部４ｃに至った水蒸気は、このパイプ本体部４ｃに設けられた複数の排気孔４ｄ、４ｄ…から、前記筐体３に貯留された除去用水３ａ中に排出されていくようになっている。
前記除去用水３ａ中に排出された水蒸気のうち、前記水蒸気は、前記樹脂ペレットの製造装置２から高温の状態でパイプ本体部４ｃにまで達するため、前記パイプ本体部４ｃの複数の排気孔４ｄ、４ｄ…から除去用水３ａ中に排出された際に冷却されつつも、ある程度の温度を保った状態となる。このような場合、前記除去用水３ａの中で、温度の低い方は下に、温度の高い方は上に分かれて位置するようになるので、ある程度の温度を保った前記水蒸気は除去用水３ａ中の上方に位置するようになる。そして、前記除去用水３ａの上方に位置する前記水蒸気は湯気のように立ちのぼり、前記除去用水３ａの水面よりも上の筐体３内に充満する。
また、前記異物は、前記除去用水３ａ中に混入して留まるようになっており、この異物が気泡に包まれた状態で水面に浮かび上がってきた場合にも、前記防沫板部６によって、気泡の破裂による異物の飛散を防ぐことができる。これによって、前記異物は該防沫板部６よりも上方に飛散しないので、この異物と前記筐体３内に充満する水蒸気とを分離させることが可能となる。
【００３８】
前記筐体３には、この筐体３を密閉する蓋体３ｅが被せられており、これによって、前記筐体３内に充満する水蒸気が外部に放出されることがないので、後述するように、脱気部５から効率良く脱気することが可能となる。また、前記異物が混入した除去用水３ａを排出した際に、前記蓋体３ｅを開けて筐体３内に注水するだけで、前記除去用水３ａの入れ替え作業を容易に行うことができる。
さらに、前記筐体３に貯留された除去用水３ａを排出するための排水口３ｄが、前記筐体３の下部に設けられており、これによって、前記筐体３に貯留されている除去用水３ａの入れ替え作業を容易に行うことが可能となり、前記除去用水３ａの排出に伴って、この除去用水３ａに混入した前記異物を、前記筐体３内から簡単に排出することができる。
すなわち、前記筐体３に貯留されている除去用水３ａの入れ替えを行うことによって、前記異物の除去作業を簡単に行うことができるようになっている。
なお、前記排水口３ｄから排出された異物の混入した除去用水３ａは、一旦、廃棄用ドラム缶（図示せず）等に貯留され、天日によって乾かされてから産業廃棄物として処理される。
【００３９】
一方、前記筐体３内に充満した水蒸気は、前記筐体３の側壁３ｃに挿通された脱気部５へと通過しいていくようになっている。
この脱気部５に、前記筐体３の側壁３ｃに挿通された脱気用パイプ５ａと、この脱気用パイプ５ａに接続された二次吸気装置５ｂとを設けており、これによって、前記二次吸気装置５ｂによって前記筐体３内の除去用水３ａの水面上に充満する水蒸気を吸引することができるので、前記異物だけを除去用水３ａ中に混入させたまま留めておくことが可能となり、前記水蒸気に含まれる異物を分離させて、簡単に、かつ確実に除去できるようになっている。
なお、この二次吸気装置５ｂに後続して、前記水蒸気を冷却する熱交換器を設けており、この熱交換器によって冷却された水蒸気は液体となって環境中に排出されるようになっている。
【００４０】
以上のようにして、前記ペレット製造装置２で発生した水蒸気中に含まれる異物を、異物除去装置１によって除去することができる。
【００４１】
本実施の形態の異物除去装置１によれば、樹脂ペレットの製造装置２内に発生する水蒸気を、筐体３の側壁３ｂに挿通する除去用パイプ４から、筐体３内の除去用水３ａを介して、筐体３の側壁３ｃに挿通する脱気部５へと通過させるだけで、前記水蒸気だけを筐体３内から排出して、前記水蒸気に含まれる異物だけを前記除去用水３ａに混入させて留めておくことができるので、水蒸気に含まれる異物を簡単に、かつ確実に除去することができる。
しかも、前記水蒸気を前記除去用パイプ４から、前記除去用水３ａを介して前記脱気部５へと通過させるだけで、前記水蒸気に含まれる異物だけを簡単、かつ確実に除去することができるので、従来とは異なり、大掛かりな装置の導入やそのメンテナンスを行う必要がなく、コストの低減を図ることが可能となる。
また、本実施の形態のペレット製造装置２によれば、この製造装置２内に発生する水蒸気と該水蒸気に含まれる異物とを吸引する一次吸気装置２ａが設けられており、この一次吸気装置２ａには、吸気用ホース２ｂを介して前記除去用パイプ４の挿通部４ａが接続されていることから、前記樹脂ペレットの製造装置２内の余分な水分を取り除くことができ、これによって、前記樹脂ペレットの製造装置２で製造される樹脂ペレットの成形性を向上させることが可能となる。
【図面の簡単な説明】
【００４２】
【図１】本発明の異物除去装置およびこれを備えたペレット製造装置を示す概念図。
【符号の説明】
【００４３】
１  異物除去装置
２  ペレット製造装置
３  筐体
３ａ  除去用水
４  除去用パイプ
４ｃ  パイプ本体部
５  防沫板部
６  脱気部
【図１】
2006150649.tif 000003